(57)【要約】      （修正有）【課題】既設の基礎構造の補強をより簡易に実行可能とする基礎構造補強方法及び基礎構造補強構造を提供する。【解決手段】背面からの土圧を受ける擁壁３と当該擁壁３の下端に設けられたフーチング５とを有する既設の橋台１を補強する橋台補強方法であって、既設の橋台１に対しせん断キー１１を追加で構築するせん断キー構築工程を備え、せん断キー１１は、フーチング前端面９に剛結されフーチング前端面９から上方又は下方の少なくとも何れか一方に張出すように延びる。【選択図】図１
2020007735.tif 000002
【特許請求の範囲】
【請求項１】
擁壁と当該擁壁の下端に設けられたフーチングとを有する既設の基礎構造を補強する基礎構造補強方法であって、
既設の前記基礎構造に対しせん断キーを追加で構築するせん断キー構築工程を備え、
前記せん断キーは、
前記フーチングの水平方向における端面に剛結され前記端面から上方又は下方の少なくとも何れか一方に張出すように延びる、基礎構造補強方法。
【請求項２】
前記せん断キー構築工程は、
地盤を掘削して前記端面を露出させる掘削工程と、
露出した前記端面に連続するようにコンクリートを打設して前記せん断キーを構築するコンクリート打設工程と、を有する、請求項１に記載の基礎構造補強方法。
【請求項３】
前記掘削工程では、前記端面から水平方向に離間した位置に土留を設置して前記端面と前記土留との間の地盤を前記端面よりも下方の位置まで掘削し、
前記コンクリート打設工程では、前記掘削工程で掘削された空間に前記土留を型枠の一部として前記コンクリートを打設する、請求項２に記載の基礎構造補強方法。
【請求項４】
前記せん断キー構築工程は、
地盤を掘削して前記端面を露出させる掘削工程と、
露出した前記端面に対して前記せん断キーを構成するせん断キー部材を剛結する部材結合工程と、を有する、請求項１に記載の基礎構造補強方法。
【請求項５】
前記せん断キー部材は鋼材であり、
前記部材結合工程では、前記掘削工程で掘削された空間から前記鋼材を下方に打込んで前記端面から下方に前記鋼材を張出させ、当該鋼材を前記端面に剛結する、請求項４に記載の基礎構造補強方法。
【請求項６】
前記基礎構造は、前記擁壁が背面からの土圧を受ける橋台であり、
前記せん断キーは前記フーチングの前端面に剛結される、請求項１〜５の何れか１項に記載の基礎構造補強方法。
【請求項７】
擁壁と当該擁壁の下端に設けられたフーチングとを有する既設の基礎構造を補強する基礎構造補強構造であって、
既設の前記基礎構造に対し追加で構築されたせん断キーを備え、
前記せん断キーは、
前記フーチングの端面に剛結され前記端面から上方又は下方の少なくとも何れか一方に張出すように延びる、基礎構造補強構造。
【発明の詳細な説明】
【技術分野】
【０００１】
本発明は、既設の基礎構造を補強する基礎構造補強方法及び基礎構造補強構造に関する。
【背景技術】
【０００２】
近年、橋台などの既設の基礎構造を補強して耐震性の向上を図ることが行われている。特に、地震の水平力に対するせん断抵抗を増加させる補強構造としては、下記の非特許文献１に記載されているように、基礎構造のフーチングの底面に突起を設けることが考えられる。この構造によれば、上記の突起がせん断キーとして機能することで、水平力に対するフーチングのせん断抵抗が増加する。
【先行技術文献】
【非特許文献】
【０００３】
【非特許文献１】社団法人日本道路協会、「道路橋示方書・同解説  I共通編  IV下部構造編」、平成２４年３月、p.319-320
【発明の概要】
【発明が解決しようとする課題】
【０００４】
しかしながら、既設の橋台などの基礎構造に対して上記のような突起を追加で設けるためには、基礎構造のフーチングの下方に潜り込むように地盤を掘削し、フーチングの下方の地下空間で作業するといったような、大掛りな工事が必要になる。特に既設の基礎構造にあっては供用中に補強工事を行う場合も多く、上記のような大掛りな工事を実行することが困難である場合もある。このような課題に鑑み、本発明は、既設の基礎構造の補強をより簡易に実行可能とする基礎構造補強方法及び基礎構造補強構造を提供することを目的とする。
【課題を解決するための手段】
【０００５】
本発明の基礎構造補強方法は、擁壁と当該擁壁の下端に設けられたフーチングとを有する既設の基礎構造を補強する基礎構造補強方法であって、既設の基礎構造に対しせん断キーを追加で構築するせん断キー構築工程を備え、せん断キーは、フーチングの水平方向における端面に剛結され端面から上方又は下方の少なくとも何れか一方に張出すように延びる。
【０００６】
この基礎構造補強方法では、せん断キーがフーチングの水平方向における端面に剛結されるので、上記端面の近傍の地盤を地表から掘削して当該端面にアクセスし、せん断キーを設けることが可能である。従って、大掛りな工事を避けることができ、基礎構造の耐震補強を簡易に実行することができる。
【０００７】
せん断キー構築工程は、地盤を掘削して端面を露出させる掘削工程と、露出した端面に連続するようにコンクリートを打設してせん断キーを構築するコンクリート打設工程と、を有することとしてもよい。
【０００８】
掘削工程では、端面から水平方向に離間した位置に土留を設置して端面と土留との間の地盤を端面よりも下方の位置まで掘削し、コンクリート打設工程では、掘削工程で掘削された空間に土留を型枠の一部としてコンクリートを打設することとしてもよい。この場合、土留をコンクリートの型枠としているので、せん断キーの一つの端面を成形するための型枠を別途準備する必要がない。
【０００９】
せん断キー構築工程は、地盤を掘削して端面を露出させる掘削工程と、露出した端面に対してせん断キーを構成するせん断キー部材を剛結する部材結合工程と、を有することとしてもよい。
【００１０】
せん断キー部材は鋼材であり、部材結合工程では、掘削工程で掘削された空間から鋼材を下方に打込んで端面から下方に鋼材を張出させ、当該鋼材を端面に剛結することとしてもよい。
【００１１】
基礎構造は、擁壁が背面からの土圧を受ける橋台であり、せん断キーはフーチングの前端面に剛結されることとしてもよい。
【００１２】
本発明の基礎構造補強構造は、擁壁と当該擁壁の下端に設けられたフーチングとを有する既設の基礎構造を補強する基礎構造補強構造であって、既設の基礎構造に対し追加で構築されたせん断キーを備え、せん断キーは、フーチングの端面に剛結され端面から上方又は下方の少なくとも何れか一方に張出すように延びる。
【発明の効果】
【００１３】
本発明によれば、既設の基礎構造の補強をより簡易に実行可能とする基礎構造補強方法及び基礎構造補強構造を提供することができる。
【図面の簡単な説明】
【００１４】
【図１】（ａ）は実施形態の橋台補強方法の対象である既設の橋台を示す断面図であり、（ｂ）は補強が施された後の橋台を示す断面図である。
【図２】（ａ），（ｂ）は、第１実施形態に係る橋台補強方法の各段階の状態を示す断面図である。
【図３】（ａ），（ｂ）は、第１実施形態に係る橋台補強方法の各段階の状態を図２に続き示す断面図である。
【図４】（ａ），（ｂ）は、第１実施形態に係る橋台補強方法の各段階の状態を図３に続き示す断面図である。
【図５】（ａ），（ｂ）は、第２実施形態に係る橋台補強方法の各段階の状態を示す断面図である。
【図６】（ａ），（ｂ）は、第３実施形態に係る橋台補強方法の各段階の状態を示す断面図である。
【図７】（ａ），（ｂ）は、第３実施形態に係る橋台補強方法の各段階の状態を図６に続き示す断面図である。
【図８】（ａ），（ｂ）は、第４実施形態に係る橋台補強方法の各段階の状態を示す断面図である。
【図９】（ａ），（ｂ）は、第４実施形態に係る橋台補強方法の各段階の状態を図８に続き示す断面図である。
【図１０】（ａ），（ｂ）は、変形例に係る橋台補強構造を示す断面図である。
【発明を実施するための形態】
【００１５】
以下、図面を参照しながら本発明に係る基礎構造補強方法及び基礎構造補強構造の実施形態について詳細に説明する。本実施形態では、補強対象の基礎構造は橋台である。図１（ａ）は耐震補強の対象である既設の橋台１（基礎構造）を示す断面図であり、図１（ｂ）は耐震補強が施された後の橋台１を示す断面図である。図１の左右方向が橋軸方向であり、図１の紙面に直交する方向が橋軸直角方向である。以下の説明においては、図１における左方を前方とし右方を後方（背面側）として「前」、「後」等の語を用いる。
【００１６】
〔第１実施形態〕
図１（ａ）に示されるように、橋台１は供用中の既設の橋梁１００の一部であり、支承部を介して橋梁１００の橋桁１０２の一端を支持している。橋台１は、擁壁３とフーチング５とを備えている。擁壁３は、上下方向に延び背面から地盤Ｇの土圧を受けて後方の地盤を支持する。フーチング５は、擁壁３の下端に設けられ水平方向に延びている。更に橋台１は、フーチング５の底面から適切な支持層まで下方に延びる複数の基礎杭７を備えている。
【００１７】
図１（ｂ）に示されるように、橋台１の補強構造２は、フーチング５の前端面（以下、「フーチング前端面９」）に追加で構築されたせん断キー１１を備える。すなわち、橋台１の補強方法は、既設の橋台１に対してフーチング前端面９に設けられたせん断キー１１を追加で構築するものである。フーチング前端面９は略鉛直面をなしており、せん断キー１１は当該フーチング前端面９に対して剛結されている。すなわち、せん断キー１１は、フーチング前端面９においてフーチング５と構造的に一体になるように連結されている。また、せん断キー１１は、フーチング前端面９よりも前方の位置に全体が配置されており、フーチング前端面９の下端から下方に張出すように延びている。
【００１８】
せん断キー１１は、橋軸直角方向にフーチング５の全幅に亘って延在していてもよいし、橋軸直角方向に必要な幅分だけ存在してもよい。また、複数のせん断キー１１が所定の間隔で間欠的に設置されていてもよい。せん断キー１１は鉄筋コンクリート製の部位であってもよい。この場合せん断キー１１は、場所打ちの鉄筋コンクリートで構築されてもよく、フーチング前端面９にプレキャスト部材を結合して構築してもよい。また、せん断キー１１は、フーチング前端面９に結合された鋼材（例えば、Ｈ鋼、鋼矢板等）であってもよい。せん断キー１１は、良好な支持層まで根入れされると更に好ましい。
【００１９】
橋台１においては、上記のようにせん断キー１１が追加で構築されることによってフーチング５のせん断抵抗が増加し、前述の非特許文献１におけるフーチング底面の突起と同様の補強効果が得られる。
【００２０】
続いて、橋台１に対しせん断キー１１を追加で構築するせん断キー構築工程について説明する。せん断キー構築工程は、フーチング前端面９の前方の地盤を掘削してフーチング前端面９を露出させる掘削工程と、露出したフーチング前端面９の前方に連続するようにコンクリートを打設してせん断キー１１を構築するコンクリート打設工程と、を有する。以下、各工程の詳細について図２〜図４を参照しながら説明する。図２〜図４は、それぞれ、フーチング前端面９近傍を拡大して示す断面図である。
【００２１】
（掘削工程）
まず、図２（ａ）に示されるように、フーチング前端面９から所定の距離だけ離間した前方の位置において、土留としての鋼矢板１５が地表面から地盤Ｇに挿入され設置される。次に、図２（ｂ）に示されるように、鋼矢板１５と擁壁３との間の地盤Ｇが地表面から掘削される。更に、鋼矢板１５とフーチング前端面９との間の地盤Ｇが、フーチング前端面９の下端よりも深い位置まで掘削され、フーチング前端面９が露出される。また、ここでは、フーチング５の底面の直下に位置する地盤は掘削されない。次に、フーチング前端面９の下端から連続して鉛直下方に延びる型枠１６が設置される。
【００２２】
ここで掘削された空間のうちフーチング前端面９の上端よりも下方の空間は、せん断キー１１（図１参照）が構築されるせん断キー構築空間Ｑである。せん断キー構築空間Ｑは、掘削された空間の底面と、鋼矢板１５と、フーチング前端面９と、型枠１６と、で囲まれている。せん断キー構築空間Ｑは、フーチング前端面９から後方にははみ出さない。掘削工程においては、フーチング５のフーチング前端面９はせん断キー構築空間Ｑに露出する。
【００２３】
次に、図３（ａ）に示されるように露出したフーチング前端面９にあと施工アンカー１７が埋込まれる。ここでは、例えば、フーチング前端面９に前方から穿孔が施され、この孔に有機系接着剤又は無機系接着剤等の硬化性材料が充填されると共にあと施工アンカー１７の後端部が挿入され、上記硬化性材料の硬化によってあと施工アンカー１７がフーチング５に固定される。あと施工アンカー１７は、アンカーボルトであってもよく、鉄筋であってもよい。その後、図３（ｂ）に示されるように、フーチング前端面９の前方に突出するあと施工アンカー１７に対して鉄筋が組み付けられ、せん断キー構築空間Ｑ内に鉄筋群１９が組立てられる。なお、あと施工アンカー１７としては、上述のように硬化性材料で固定される接着系アンカーに限られず、金属製の部品で構成される金属系アンカー（例えば、金属拡張アンカー、金属拡底アンカー等）やその他公知の形式のアンカーを適宜採用することができる。
【００２４】
（コンクリート打設工程）
その後、図４（ａ）に示されるように、せん断キー構築空間Ｑ内にコンクリートＣが打設される。コンクリートＣは鋼矢板１５で構成される土留と、フーチング前端面９と、型枠１６と、掘削された空間の底面と、に接触し、これらの面を型枠面として成形され硬化する。コンクリートＣが硬化すると、せん断キー構築空間Ｑ内には、直方体形状の鉄筋コンクリート塊部２１が形成される。この鉄筋コンクリート塊部２１は、あと施工アンカー１７を介してフーチング前端面９に剛結されており、フーチング前端面９よりも前方の位置において当該フーチング前端面９から下方に張出すように延びる。
【００２５】
その後、図４（ｂ）に示されるように、鋼矢板１５のうち掘削された空間に露出した上部が切断除去され、掘削された空間の地盤Ｇが埋め戻されて、補強工事が完了する。なお、上記のように鋼矢板１５の上部を切断除去することは必須ではなく、鋼矢板１５全体を埋め殺しにしてもよい。上記のように形成された鉄筋コンクリート塊部２１が、せん断キー１１を構成する。
【００２６】
以上説明した本実施形態の橋台補強方法及び橋台補強構造による作用効果について説明する。この種の橋台補強方法及び橋台補強構造において、仮に、フーチング５の下方に張出すせん断キーをフーチング５のフーチング前端面９よりも後方の位置で接続しようとすれば、フーチング５の下方に潜り込むように地盤を掘削し、フーチング５の下方の地下空間で作業するといったような、大掛りな工事が必要になる。特に、フーチング５の下方に基礎杭７が存在する場合においては、基礎杭７を回避して地盤を掘削する必要があり、工事が更に大掛りになる可能性がある。
【００２７】
これに対し、本実施形態の橋台補強方法及び橋台補強構造では、せん断キー１１がフーチング前端面９に剛結されるので、擁壁３及びフーチング５の前方に位置する地盤を地表から掘削してフーチング前端面９を露出させ、露出したフーチング前端面９にあと施工アンカー１７を設置して、せん断キー１１を設けることが可能である。従って、前述のような大掛りな工事を避けることができ、橋台１の耐震補強を簡易に実行することができる。また、せん断キー１１全体がフーチング前端面９よりも前方の位置に配置されているので、フーチング５の底面の下の地盤を掘削する必要がない。また、鋼矢板１５で構成される土留をコンクリートＣの型枠としているので、せん断キー１１の前端面を成形するための型枠を別途準備する必要がない。
【００２８】
また、橋台１のせん断抵抗を増加する手法としては、擁壁３及びフーチング５の前方の地盤Ｇの全体を地盤改良する方法も考えられる。しかしながら、擁壁３の前方でフーチング５の上方の空間には地下埋設物が設置されている場合もあり、その場合には上記の方法が採用出来ない。これに対し、本実施形態の橋台補強方法及び橋台補強構造は、フーチング前端面９の前方にせん断キー１１を追加するものであるので、上記のような地下埋設物等による施工上の制限も小さい。
【００２９】
〔第２実施形態〕
続いて、本発明に係る橋台補強方法及び橋台補強構造の第２実施形態について説明する。本実施形態において、前述の第１実施形態と同一又は同等の構成部分には同一符号を付し重複する説明を省略する。
【００３０】
本実施形態は、コンクリート打設工程が、第１実施形態とは異なっている。前述の通り、第１実施形態のコンクリート打設工程では鋼矢板１５を型枠の一部としてコンクリートＣが打設される。これに対し、本実施形態のコンクリート打設工程では、図５（ａ）に示されるように、フーチング前端面９と鋼矢板１５との間に、鉄筋コンクリート塊部２１の前端面を成形するための型枠１８が別途設置される。このため、鋼矢板１５の設置位置は、型枠１８の設置スペースとその設置作業スペースとを確保すべく、第１実施形態よりも更に前方の位置に設定される。
【００３１】
その後、図５（ｂ）に示されるように、コンクリートＣが硬化し鉄筋コンクリート塊部２１が形成された後、型枠１８は除去される。更に、鋼矢板１５が撤去され、掘削された空間の地盤Ｇが埋め戻されて、補強工事が完了する。なお、上記のように鋼矢板１５が撤去されることは必須ではなく、鋼矢板１５を埋め殺しにしてもよい。上記のように形成された鉄筋コンクリート塊部２１が、せん断キー１１を構成する。
【００３２】
以上のような本実施形態の橋台補強方法及び橋台補強構造によっても、第１実施形態と同様の作用効果が奏される。なお、本実施形態における上記のせん断キー構築工程では、図５（ｂ）に示されるように、完成後のせん断キー１１の前方に埋戻し層が存在することになる。埋戻し層は、掘削される前の地盤に比べて軟弱である場合が多い。これに対して、第１実施形態におけるせん断キー構築工程では、図４（ｂ）に示されるように、せん断キー１１の前端面は、鋼矢板１５を介して未掘削の比較的良好な地盤によって水平方向に支持される。従って、本実施形態に比較して、第１実施形態の橋台補強方法及び橋台補強構造では、補強効果がより高い。
【００３３】
〔第３実施形態〕
続いて、本発明に係る橋台補強方法及び橋台補強構造の第３実施形態について説明する。本実施形態において、前述の第１又は第２実施形態と同一又は同等の構成部分には同一符号を付し重複する説明を省略する。
【００３４】
本実施形態は、せん断キー構築工程が、第１実施形態とは異なっている。本実施形態におけるせん断キー構築工程は、フーチング前端面９の前方の地盤Ｇを掘削してフーチング前端面を露出させる掘削工程と、露出したフーチング前端面９に対してせん断キー１１を構成するせん断キー部材を剛結する部材結合工程と、を有する。上記のせん断キー部材は鋼材である。部材結合工程では、掘削工程で掘削された空間から鋼材を下方に打込んでフーチング前端面９から下方に鋼材を張出させ、当該鋼材をフーチング前端面９に剛結する。以下、各工程の詳細について図６〜図７を参照しながら説明する。
【００３５】
（掘削工程）
図６（ａ）に示されるように、第１実施形態と同様に、鋼矢板１５の設置と地盤Ｇの掘削とが実行され、フーチング前端面９が露出される。ここでは、フーチング前端面９の下端の深さの位置まで地盤Ｇが掘削される点で、第１実施形態とは異なっている。
【００３６】
（部材結合工程）
次に、図６（ｂ）に示されるように、露出したフーチング前端面９にあと施工アンカー１７が埋込まれる。あと施工アンカー１７としては、アンカーボルトが用いられる。その後、図７（ａ）に示されるように、鋼矢板１５とフーチング前端面９との間にＨ鋼２９（せん断キー部材）が搬入される。Ｈ鋼２９の上下方向の長さは、フーチング前端面９の上下方向の長さよりも長い。Ｈ鋼２９は、掘削された空間の底面から下方に打込まれ、Ｈ鋼２９の上端がフーチング前端面９の上端とほぼ一致する深さにＨ鋼２９が埋込まれる。Ｈ鋼２９はフーチング前端面９から下方に張出すことになる。その後、Ｈ鋼２９の上端部のフランジが、あと施工アンカー２７にボルト締結されることで、Ｈ鋼２９がフーチング前端面９に固定される。
【００３７】
上記のようなＨ鋼２９が、橋軸直角方向に所定の間隔で間欠的に複数設置される。或いは、Ｈ鋼２９が、橋軸直角方向に間隔をあけずに連続的に複数設置されてもよい。各Ｈ鋼２９は、あと施工アンカー２７を介してフーチング前端面９に剛結され、フーチング前端面９よりも前方の位置において当該フーチング前端面９から下方に張出すように延びる。その後、図７（ｂ）に示されるように、鋼矢板１５が撤去され、掘削された空間の地盤Ｇが埋め戻されて、補強工事が完了する。上記のように設置されたＨ鋼２９が、せん断キー１１を構成する。
【００３８】
以上のような第３実施形態の橋台補強方法及び橋台補強構造によっても、第１実施形態と同様の作用効果が奏される。なお、Ｈ鋼２９に代えて、他の鋼材（例えば鋼矢板）を採用してもよい。せん断キー１１を構成する部材（せん断キー部材）が鋼材であれば、上記のように、掘削された空間からせん断キー部材を下方に打込むことによって、フーチング前端面９から下方にせん断キー部材を張出させることが可能である。すなわち、掘削工程においては、フーチング前端面９の下端よりも下方の位置まで地盤Ｇを掘削する必要はなく、掘削量が低減される。
【００３９】
〔第４実施形態〕
続いて、本発明に係る橋台補強方法及び橋台補強構造の第４実施形態について説明する。本実施形態において、前述の第１〜第３実施形態と同一又は同等の構成部分には同一符号を付し重複する説明を省略する。
【００４０】
本実施形態は、せん断キー部材がプレキャストブロックである点で第３実施形態とは異なっている。以下、本実施形態における掘削工程及び部材結合工程について図８〜図９を参照しながら説明する。
【００４１】
（掘削工程）
図８（ａ）に示されるように、第１実施形態と同様に、鋼矢板１５の設置と地盤Ｇの掘削とが実行され、フーチング前端面９が露出される。ここでは、フーチング前端面９の下端よりも深い位置まで地盤Ｇが掘削される。
【００４２】
（部材結合工程）
次に、図８（ｂ）に示されるように、露出したフーチング前端面９にあと施工アンカー１７が埋込まれる。あと施工アンカー１７としては、アンカーボルトが用いられる。その後、図９（ａ）に示されるように、鋼矢板１５とフーチング前端面９との間に鉄筋コンクリート製のプレキャストブロック３１（せん断キー部材）が挿入される。プレキャストブロック３１は略直方体をなし、プレキャストブロック３１の上下方向の長さは、フーチング前端面９の上下方向の長さよりも長い。ここでは、プレキャストブロック３１の上端がフーチング前端面９の上端とほぼ一致するように設置され、プレキャストブロック３１はフーチング前端面９から下方に張出すことになる。その後、プレキャストブロック３１が、あと施工アンカー２７にボルト締結されることで、プレキャストブロック３１がフーチング前端面９に固定される。なお、プレキャストブロック３１には、ボルト締結のための箱抜き部が予め設けられている。
【００４３】
上記のようなプレキャストブロック３１が、橋軸直角方向に所定の間隔で間欠的に複数設置される。各プレキャストブロック３１は、あと施工アンカー２７を介してフーチング前端面９に剛結され、フーチング前端面９よりも前方の位置において当該フーチング前端面９から下方に張出すように延びる。その後、図７（ｂ）に示されるように、鋼矢板１５が撤去され、掘削された空間の地盤Ｇが埋め戻されて、補強工事が完了する。上記のように設置されたプレキャストブロック３１が、せん断キー１１を構成する。
【００４４】
以上のような第４実施形態の橋台補強方法及び橋台補強構造によっても、第１実施形態と同様の作用効果が奏される。また、プレキャストブロック３１を採用することにより、場所打ちコンクリートによってせん断キー１１を構築する場合に比べて、更に工期を短縮することができる。
【００４５】
本発明は、上述した各実施形態を始めとして、当業者の知識に基づいて種々の変更、改良を施した様々な形態で実施することができる。また、上述した実施形態に記載されている技術的事項を利用して、変形例を構成することも可能である。各実施形態の構成を適宜組み合わせて使用してもよい。
【００４６】
各実施形態では、杭基礎構造の橋台１を例として説明したが、本発明は、直接基礎構造の橋台にも適用可能である。また、本発明は、橋台の補強構造及び補強方法に限定されず、橋台以外の基礎構造（例えば、橋脚、擁壁、建築基礎、設備基礎等）の補強方法にも適用可能である。また、各実施形態では、フーチング前端面９から下方に張出すように延びるせん断キー１１を例として説明したが、図１０（ａ）に示されるように、フーチング前端面９から上方に張出すように延びるせん断キー１１を採用してもよい。また、フーチング前端面９から上下両方向に張出すように延びるせん断キー１１を採用してもよい。これらの場合も、各実施形態で説明した橋台補強方法のせん断キー構築工程に倣って、場所打ち鉄筋コンクリート、鋼材、又はプレキャストブロックからなるせん断キーをフーチング前端面９に剛結し、橋台補強構造を構築することができる。
【００４７】
また、第１実施形態において、せん断キー構築空間Ｑにおける掘削面が良好でない場合には、掘削工程において、せん断キー構築空間Ｑに安定液を満たして掘削し、コンクリート打設工程において、水中コンクリートを打設するようにしてもよい。
【００４８】
また、実施形態では掘削工程において鋼矢板１５（土留）が設置されるが、土留の設置は必須ではない。例えば、地盤Ｇが硬質な地盤である場合など、掘削地盤が自立するのであれば土留を省略することも可能である。同様に、掘削地盤が自立するのであれば、第１実施形態及び第２実施形態における型枠１６を省略することも可能である。また、掘削地盤が自立しないような場合おいても、地盤Ｇを広く掘削し、緩い法面を形成しながら掘削し掘削面が崩壊しないようにして、土留を省略することが可能である。特に、掘削深度を深くする必要がない場合には、上記のような土留の省略が好適である。
【００４９】
また、更に橋台１を補強するため、各実施形態のようなせん断キー１１の構築に加えて、他の橋台補強構造が併せて採用されてもよい。例えば、擁壁３にせん断補強筋を追加する補強構造が併せて採用されてもよい。また、図１０（ｂ）に示されるように、擁壁３の前面に定着され、当該定着部４１ａから斜め下後方に延在するグラウンドアンカー４１が更に追加されてもよい。
【符号の説明】
【００５０】
１…橋台（基礎構造）、３…擁壁、５…フーチング、９…フーチング前端面、１１…せん断キー、１５…鋼矢板（土留）、２９…Ｈ鋼（せん断キー部材）、３１…プレキャストブロック（せん断キー部材）、Ｃ…コンクリート、Ｇ…地盤。
【図１】
2020007735.tif 000003
【図２】
2020007735.tif 000004
【図３】
2020007735.tif 000005
【図４】
2020007735.tif 000006
【図５】
2020007735.tif 000007
【図６】
2020007735.tif 000008
【図７】
2020007735.tif 000009
【図８】
2020007735.tif 000010
【図９】
2020007735.tif 000011
【図１０】
2020007735.tif 000012